【事件の表示】
　特願２０１１−２３８７４０号「洗面化粧台」拒絶査定不服審判事件〔平成２４年　３月　８日出願公開、特開２０１２−　４５４１６号〕について、次のとおり審決する。
【結　論】
　本件審判の請求は、成り立たない。
【理　由】
１．手続の経緯
　本願は、平成１９年９月２５日に出願した特願２００７−２４８１１４号の一部を平成２３年１０月３１日に新たな特許出願としたものであって、平成２５年５月７日付けの拒絶理由の通知に対し、平成２５年７月１６日に意見書が提出されるとともに手続補正がなされたが、平成２６年１月８日付けで拒絶査定がなされ、これに対して平成２６年３月２８日に審判請求がなされたものである。
　
２．本願発明
　本願の特許請求の範囲の請求項１、２に係る発明（以下、「本願発明」という。）は、平成２５年７月１６日付けの手続補正書により補正された特許請求の範囲の請求項１、２に記載されたとおりのものであるところ、その請求項１に係る発明は次のとおりのものである。
　
「平面視でボウル部内に、ボウル部の後端部から前方に向けて形成された底部と、底部の前端からボウル部の前端部に至るように形成された傾斜前内壁とを備え、傾斜前内壁が底部の前端から前に行くほど上方となるように斜め前上方に向けて上り傾斜となり、該傾斜前内壁の勾配が底部の勾配よりも急となり、ボウル部の後部の左右方向の中央の上方位置に吐水部を設け、該吐水部の吐水方向を、底部の前端と傾斜前内壁の後端との境界部分に略吐水の中心が向かう斜め下方を向いた一定方向に設定して成り、ボウル部の後端部にボウル部と一体に立ち上がり壁部を上方に向けて突出し、該立ち上がり壁部の前面部の上端に吐水部を設け、立ち上がり壁部の上端面にミラーキャビネットの下面部の後端部を載設し、吐水部の前端をミラーキャビネットの前端よりも後方にずれた位置に位置させて成ることを特徴とする洗面化粧台。」
　
３．引用例
（１）原査定の拒絶の理由に引用された、本願の原出願の出願前に頒布された特開２００７−６９０２４号公報（以下、「引用例１」という。）には、図面と共に次の事項が記載されている。
　
（ａ）「【００１８】
　洗面化粧台はベース台（ベースキャビネット）１の上に洗面器２を載置し、この洗面器２の奥側のベース台１を上方に延びる支持部３としている。支持部３は内部を中空とするとともに上部に棚部４が形成され、この棚部４の奥側が下がった下面５に水栓金具を構成するスパウト６の基端部がパッキン７を介して回動可能に支持されている。
　【００１９】
　前記棚部４の上にはミラーキャビネット８を取り付け、このミラーキャビネット８の下端に設けた棚部９と前記棚部４とを重ね合わせている。尚、実施例ではミラーキャビネット８と支持部３とを別体としたが、一体としてもよい。またミラーキャビネット８と洗面器２と支持部３とを一体としてもよい。」
　
（ｂ）「【００２４】
　この吐水部１０はスパウト６と一体的でもよいし、また図示例のようにスパウトの長さ方向の軸線Ｘ２を中心として回動自在としてもよい。例えば図６に示すように吐水部１０の位置を高くした状態で回動することで洗髪がし易くなり、図７に示すように吐水部１０の位置を低くした状態で回動することで、うがいや歯磨きが容易になる。」
　
（ｃ）「【００２８】
　図９及び図１０は洗面化粧台の別実施例を示す図２と同様の図である。
　図９に示す実施例にあっては洗面器２の底面２ａを略フラット面とするとともに奥側に向かって低くなるようにし、更に、吐水口が手前に回転する構成を追加している。
　このようにすると水栓を手前に回さなくても手前に吐水することができ、スパウトが邪魔にならないので洗濯時の使い勝手が向上する。また吐水口の角度を調整することで、スパウト６を奥側に回動させた際の吐水範囲がフラットな底面２ａと洗面器２の傾斜した内側側面２ｂとの交点付近となるようにすることができる。
　このように底面２ａを奥に向って傾斜せしめるとともに吐水範囲を底面２ａの範囲に略一致せしめることで、小物を洗濯する場合に力を入れやすい姿勢で洗濯することができ、フラット面の手前の方で小物洗い等をする時に吐水口の角度を調整して吐水位置を奥側にもっていくと、手や洗い物に水があたって撥ねることがなくなり、周りに水を撥ねさせずに小物洗いや洗濯ができる。
　【００２９】
　図１０に示す実施例は洗面器２と支持部３とを一体的に成形した構成となっている。前記実施例にあっては支持部３を中空として配管などを配置しているが、必ずしも支持部３を中空とせずに配管は支持部３の裏側或いは壁の内側としてもよい。」
　
（ｄ）上記（ｂ）の「この吐水部１０はスパウト６と一体的でもよいし」という記載も考慮すると、図１０には、洗面器２が、洗面器２の後端部から前方に向けて形成された底部と、底部の前端から洗面器２の前端部に至るように形成された内側側面とを備え、内側側面は底部の前端から前に行くほど上方となるように斜め前上方に向けて上り傾斜となり、内側側面の勾配が底部の勾配よりも急となっており、洗面器２の後部の上方位置にスパウト６と一体の吐水部１０を設け、吐水部１０からの吐水範囲を底部と内側側面との境界部分に、吐水の略中心が向かうように吐水方向が斜め下方を向いた一定方向に設定されていることが開示されている。
　
（ｅ）上記（ｃ）の「図１０に示す実施例は洗面器２と支持部３とを一体的に成形した構成となっている。」という記載も考慮すると、図１０には、洗面器２の後端部に洗面器２と一体に支持部３を上方に向けて突出し、支持部３の前面部の上端にスパウト６と一体の吐水部１０を設け、支持部３の上端面にミラーキャビネット８の下面部の後端部を載設することが開示されている。
　
　したがって、上記記載事項を総合すれば、引用例１には以下の発明（以下、「引用発明１」という。）が記載されている。
　
「洗面器２の後端部から前方に向けて形成された底部と、底部の前端から洗面器２の前端部に至るように形成された内側側面とを備え、内側側面は底部の前端から前に行くほど上方となるように斜め前上方に向けて上り傾斜となり、内側側面の勾配が底部の勾配よりも急となっており、洗面器２の後部の上方位置にスパウト６と一体の吐水部１０を設け、スパウト６と一体の吐水部１０からの吐水範囲を底部と内側側面との境界部分に、吐水の略中心が向かうように吐水方向が斜め下方を向いた一定方向に設定されており、洗面器２の後端部に洗面器２と一体に支持部３を上方に向けて突出し、支持部３の前面部の上端にスパウト６と一体の吐水部１０を設け、支持部３の上端面にミラーキャビネット８の下面部の後端部を載設した洗面化粧台。」
　
（２）原査定の拒絶の理由に引用された、本願の原出願の出願前に頒布された、特開２００１−２６９２７５号公報（以下、「引用例２」という。）には、図面と共に次の事項が記載されている。
　
（ａ）「【００２１】
　この実施の形態の洗面化粧台１は、水栓２とバックガード３を備えた洗面化粧台において、壁から給水管４を引出して水栓２と接続し、給水管４をケース５内に納め、水栓２と給水管４とケース５で水栓ブロック６を形成し、この水栓ブロック６をバックガード３の上にを設けてなる。」
　
（ｂ）「【００２８】
　又、水栓２はバックガード３の上に設けたことで高い位置に配することができる。高位置への配設に加え、吐水口１１に傾きを設けてあるので、ボール１０のほぼ中央に向かって吐水できることとなる。従来の技術では図８に示すように吐水口１１に傾きを設けてもボール１０の中央に吐水を行うことができない。バックガード３上端への配設と吐水口の傾きによりボール１０のほぼ中央へ吐水することができる。」
　　
（ｃ）「【００３８】
　又、バックガード３の上にキャビネットを配し、キャビネットの下部分でケース５を形成しても良い。
　　　【００３９】
　この場合、収納量を増やすことができる。キャビネット下部分で給水管４を納め、キャビネット上部分を収納空間として活用すれば洗面化粧台１の収納量が増す。単に給水管４を納めるだけのものよりも、収納空間を兼ね備えたものとした方が便利である。上部分が収納空間となったキャビネットを配していることで、増え続けていく身の回り品を無駄無く収納でき、たいへん都合が良い。」
　
（ｄ）上記（ｂ）の「水栓２はバックガード３の上に設けたことで高い位置に配することができる。高位置への配設に加え、吐水口１１に傾きを設けてあるので、ボール１０のほぼ中央に向かって吐水できることとなる。」という記載も考慮すると、図２には、ボール１０の左右方向の中央の上方位置に水栓２を設けることが開示されている。
　
（ｅ）上記（ｃ）の「バックガード３の上にキャビネットを配し、キャビネットの下部分でケース５を形成しても良い」という記載も考慮すると、図１には、吐水口１１の前端を、バックガード３の上のキャビネットの前端よりも後方にずれた位置に位置させることが開示されている。
　
　したがって、上記記載事項を総合すれば、引用例２には以下の発明（以下、「引用発明２」という。）が記載されている。
　
「ボール１０の左右方向の中央の上方位置に設けられた吐水口１１の前端を、バックガード３の上のキャビネットの前端よりも後方にずれた位置に位置させた洗面化粧台。」
　
　
４．対比
　本願発明と引用発明１とを対比する。 
（１）引用発明１の「洗面器２」は、本願発明の「ボウル部」に相当し、
以下同様に、
「内側側面」は、「傾斜前内壁」に、
「スパウト６と一体の吐水部１０」は、「吐水部」に、
「支持部３」は、「立ち上がり壁」に、
「ミラーキャビネット８」は、「ミラーキャビネット」に相当する。
　
（２）引用発明１において、底部と内側側面が、平面視で洗面器２内に設けられていることは明らかである。
　
（３）そうすると、両者は、
「平面視でボウル部内に、ボウル部の後端部から前方に向けて形成された底部と、底部の前端からボウル部の前端部に至るように形成された傾斜前内壁とを備え、傾斜前内壁が底部の前端から前に行くほど上方となるように斜め前上方に向けて上り傾斜となり、該傾斜前内壁の勾配が底部の勾配よりも急となり、ボウル部の後部の上方位置に吐水部を設け、該吐水部の吐水方向を、底部の前端と傾斜前内壁の後端との境界部分に略吐水の中心が向かう斜め下方を向いた一定方向に設定して成り、ボウル部の後端部にボウル部と一体に立ち上がり壁部を上方に向けて突出し、該立ち上がり壁部の前面部の上端に吐水部を設け、立ち上がり壁部の上端面にミラーキャビネットの下面部の後端部を載設した洗面化粧台。」
である点で一致しており、次の点で相違する。 
　
（相違点１）
　本願発明では、吐水部がボウル部の左右方向の中央の位置に設けられるのに対し、引用発明１では、スパウト６と一体の吐水部１０の左右方向の位置が明らかではない点。
　
（相違点２）
　本願発明では、吐水部の前端がミラーキャビネットの前端よりも後方にずれた位置にあるのに対し、引用発明１はそのような構成ではない点。
　
　
５．判断
（１）上記（相違点１）について検討する。
　引用発明２は、「吐水口１１」が「ボール１０の左右方向の中央の上方位置に設けられた」構成を備えている。
　そして、引用発明１及び引用発明２は、洗面化粧台に関する技術分野が共通しているので、引用発明１において吐水部１０の位置に関し、引用発明２の構成を採用することで、吐水部１０が洗面器２の左右方向の中央に位置するようにスパウト６を配置して、相違点１に係る構成とすることは、当業者が容易に想到し得たことである。
　　
（２）上記（相違点２）について検討する。
　引用発明２は、「吐水口１１の前端を、バックガード３の上のキャビネットの前端よりも後方にずれた位置に位置させた」構成を備えている。
　そして、引用発明１及び引用発明２は、洗面化粧台に関する技術分野が共通しているので、引用発明１において吐水部１０の位置に関し、引用発明２の構成を採用することで、吐水部１０の前端が、支持部３の上のミラーキャビネット８の前端よりも後方にずれた位置になるいようにスパウト６を配置して、相違点２に係る構成とすることは、当業者が容易に想到し得たことである。
　
（３）本願発明の作用効果は、引用発明１及び２から予測される範囲内のものにすぎず、格別なものではない。
　
（４）したがって、本願発明は、引用発明１及び２に基づいて当業者が容易に発明をすることができたものである。
　
　
６．むすび
　以上のとおり、本願発明は引用発明１及び２に基づいて当業者が容易に発明をすることができたものであり、特許法第２９条第２項の規定により特許を受けることができない。 
 　したがって、他の請求項について検討するまでもなく本願は拒絶すべきものである。 
　
 　よって、結論のとおり審決する。